(57)【要約】【課題】  ユニットバスの側壁の剛性を向上させるとともに、側壁への機器の取付けが容易なユニットバスの側壁への機器取付構造を提供する。【解決手段】  建物躯体の壁面１に沿って隙間Ｓをあけて配置するユニットバスの側壁２への機器取付構造である。機器を取付けるための取付具を、補強板３、押圧部材４、取付ねじ５で構成する。補強板３にねじ孔３１、ガイド部３２を形成する。押圧部材４に被ガイド部４１、ねじ孔４４、押圧部４３を形成する。側壁２に取付具挿通口２３、貫通孔２４を形成する。側壁２の裏面２２側に配置された補強板３のねじ孔３１に室内面２１側から取付ねじ５の軸部５１を螺入し、該ねじ孔３１から外方に突出した取付ねじ５の軸部５１にて押圧部材４を押圧してスライドさせて建物躯体の壁面１に押圧し、取付ねじ５の頭部５２を側壁２の室内面２１に締め付け、頭部５２に設けた取付部５３に機器を取付けた。【選択図】        図１
2005307660.tif 000002
【特許請求の範囲】
【請求項１】
建物躯体の壁面に沿って隙間をあけて配置するユニットバスの側壁への機器取付構造であって、機器を取付けるためにユニットバスの側壁に固定する取付具を、前記側壁の裏面に取付けられる補強板と、該補強板に建物躯体の壁面に向けてスライド自在に設けられる押圧部材と、該押圧部材を側壁の室内面側から操作して建物躯体の壁面に押圧するとともに補強板を側壁に取付けるための取付ねじとで構成し、補強板に取付ねじが螺合するねじ孔を形成するとともに該補強板の建物躯体の壁面を向く面に押圧部材をガイドするガイド部を形成し、押圧部材に、前記ガイド部にガイドされる被ガイド部と、取付ねじの軸部の先端に押圧されるとともに該軸部が螺合するねじ孔と、建物躯体の壁面を押圧する押圧部を形成し、側壁に前記取付具を室内面側から裏面側に挿通するための取付具挿通口を形成するとともに裏面に取付けられる補強板のねじ孔に対応する位置に貫通孔を形成し、取付具挿通口を介して側壁の裏面側に配置された取付具の補強板のねじ孔を側壁の貫通孔に連通して該貫通孔に側壁の室内面側から取付ねじの軸部を挿入して補強板のねじ孔に螺入し、該ねじ孔から外方に突出した取付ねじの軸部にて押圧部材のねじ孔を押圧して建物躯体の壁面に押圧部を押圧した状態で取付ねじの軸部を押圧部材のねじ孔に螺入するとともに頭部を側壁の室内面に締め付け、取付ねじの頭部に設けた取付部に機器を取付けて成ることを特徴とするユニットバスの側壁への機器取付構造。
【請求項２】
押圧部材のねじ孔の端部に、取付ねじの軸部の先端に押圧されるとともに該先端がねじ孔に螺合するように導くためのガイドテーパ部を形成して成ることを特徴とする請求項１記載のユニットバスの側壁への機器取付構造。
【請求項３】
取付ねじの頭部に取付部として略鉤状の引掛け部を一体に形成して成ることを特徴とする請求項１又は２記載のユニットバスの側壁への機器取付構造。
【発明の詳細な説明】
【技術分野】
【０００１】
本発明は、建物躯体の壁面に沿って隙間をあけて配置するユニットバスの側壁への機器取付構造に関するものである。
【背景技術】
【０００２】
従来より、ユニットバスの側壁へ機器を取付ける構造として、側壁に補強板を設けるものが知られている（例えば特許文献１参照）。これは、側壁の裏面（ユニットバスの外側の面）に補強板を配置するとともに室内面（ユニットバスの内側の面）に取付金具を配置し、ユニットバスと補強板と取付金具には貫通孔が連通するように形成してあってこの貫通孔を介してボルト・ナットからなる固着具にて側壁の室内面側及び裏面側から締結固定するものである。
【０００３】
このような取付構造にあっては、ユニットバスの側壁の取付部分は補強板によって補強されて剛性・強度が向上するものの、側壁全体の剛性が向上するものではなく側壁が容易に撓み得る状態となっているため、機器を取付けた際に側壁が撓んだり変形してしまうものであった。そこで、一般にユニットバスは建物躯体の壁面に沿って隙間をあけて配置するものであるため、剛性の高い建物躯体の壁面を利用することで容易な構成で側壁の剛性を向上させることが望まれるものであった。
【０００４】
また、従来の取付構造においては、補強板を側壁に固定するにあたり、側壁に形成したφ１００ｍｍ程の開口から裏面側に手を入れてナットを回転しないように支持する必要があって、施工がし難いものであった。
【特許文献１】特開平８−２８９９９８号公報
【発明の開示】
【発明が解決しようとする課題】
【０００５】
本発明は上記の点に鑑みなされたものであって、その目的とするところは、ユニットバスの側壁の剛性を向上させるとともに、側壁への機器の取付けが容易なユニットバスの側壁への機器取付構造を提供することにある。
【課題を解決するための手段】
【０００６】
上記課題を解決するために請求項１に係る発明にあっては、建物躯体の壁面１に沿って隙間Ｓをあけて配置するユニットバスの側壁２への機器取付構造であって、機器を取付けるためにユニットバスの側壁２に固定する取付具を、前記側壁２の裏面２２に取付けられる補強板３と、該補強板３に建物躯体の壁面１に向けてスライド自在に設けられる押圧部材４と、該押圧部材４を側壁２の室内面２１側から操作して建物躯体の壁面１に押圧するとともに補強板３を側壁２に取付けるための取付ねじ５とで構成し、補強板３に取付ねじ５が螺合するねじ孔３１を形成するとともに該補強板３の建物躯体の壁面１を向く面に押圧部材４をガイドするガイド部３２を形成し、押圧部材４に、前記ガイド部３２にガイドされる被ガイド部４１と、取付ねじ５の軸部５１の先端に押圧されるとともに該軸部５１が螺合するねじ孔４４と、建物躯体の壁面１を押圧する押圧部４３を形成し、側壁２に前記取付具を室内面２１側から裏面２２側に挿通するための取付具挿通口２３を形成するとともに裏面２２に取付けられる補強板３のねじ孔３１に対応する位置に貫通孔２４を形成し、取付具挿通口２３を介して側壁２の裏面２２側に配置された取付具の補強板３のねじ孔３１を側壁２の貫通孔２４に連通して該貫通孔２４に側壁２の室内面２１側から取付ねじ５の軸部５１を挿入して補強板３のねじ孔３１に螺入し、該ねじ孔３１から外方に突出した取付ねじ５の軸部５１にて押圧部材４のねじ孔４４を押圧して建物躯体の壁面１に押圧部４３を押圧した状態で取付ねじ５の軸部５１を押圧部材４のねじ孔４４に螺入するとともに頭部５２を側壁２の室内面２１に締め付け、取付ねじ５の頭部５２に設けた取付部５３に機器を取付けて成ることを特徴とするものである。このような構成とすることで、ユニットバスの側壁２に建物躯体の壁面１から取付具によって押圧力を負荷させて側壁２を予め撓んだ状態として、前記撓みを元に戻す方向に負荷がかかっても取付具によって元に戻る方向には殆ど撓まないようにすることができ、側壁２の剛性を向上させることが可能となる。
【０００７】
また、請求項２に係る発明にあっては、請求項１の発明において、押圧部材４のねじ孔３１の端部に、取付ねじ５の軸部５１の先端に押圧されるとともに該先端がねじ孔３１に螺合するように導くためのガイドテーパ部４５を形成して成ることを特徴とするものである。このような構成とすることで、押圧部材４の押圧部４３が建物躯体の壁面１に当接して更に取付ねじ５を螺進させた際、取付ねじ５の軸部５１がガイドされてねじ孔４４にスムーズに螺合されることとなる。
【０００８】
また、請求項３に係る発明にあっては、請求項１又は２の発明において、取付ねじ５の頭部５２に取付部５３として略鉤状の引掛け部を一体に形成して成ることを特徴とするものである。このような構成とすることで、取付部５３としての引掛け部に機器を引掛け係止して取付けることができる。
【発明の効果】
【０００９】
本発明にあっては、ユニットバスの側壁に建物躯体の壁面から取付具によって押圧力を負荷させて側壁を予め撓んだ状態として、前記撓みを元に戻す方向に負荷がかかっても取付具によって元に戻る方向には殆ど撓まないようにすることができ、側壁の剛性を向上させることが可能となる。
【発明を実施するための最良の形態】
【００１０】
以下、本発明を添付図面に示す実施形態に基づいて説明する。
【００１１】
本発明は、ユニットバスの側壁に機器を取付ける機器取付構造であって、ユニットバスは図１に示すように、その側壁２の裏面２２が建物躯体の壁面１（通常は内壁面）に沿って若干の隙間Ｓをあけて配置されるものである。
【００１２】
ユニットバスの側壁２には、浴室乾燥機をはじめ様々な機器が室内面２１（即ちユニットバス内の面）に取付けられるが、これにあたっては、ユニットバスの側壁２に取付具を固定し、この取付具に機器を取付けるものである。取付具は、補強板３と、押圧部材４と、補強板３をユニットバスの側壁２に取付けるとともに機器を支持する取付ねじ５とからなる。
【００１３】
補強板３は、図２に示すようにユニットバスの側壁２の裏面２２（即ちユニットバス内からみて裏面）に取付けられるもので、本実施形態では図３に示すように、おおよそ上下長さ２０〜５０ｍｍ程、左右長さ２００〜３００ｍｍ程、厚さ３〜５ｍｍ程の金属板である。この補強板３の左右両端部には、ユニットバスの側壁２に取付けるための取付ねじ５が螺合するねじ孔３１が形成してある。本実施形態では補強板３に貫通孔３１ａを形成するとともにこの貫通孔３１ａとナット３１ｂの内部の孔とが連通するようにナット３１ｂを建物躯体の壁面１側の面に溶接等にて固定することでねじ孔３１が形成してある。補強板３は、ユニットバスの側壁２に形成した取付具挿通口２３を通してユニットバス内側から側壁２の裏面に配置するもので、機器が浴室乾燥機である場合には、ユニットバスの側壁２に排気管を挿通するφ１００ｍｍ程の開口を形成するため、特に取付具挿通口を設けることなく前記開口を取付具挿通口２３として補強板３を裏面に配置することができる。また、補強板３には、ユニットバスの側壁２の裏面に取付けられた際に建物躯体の壁面１を向く面に後述する押圧部材４をスライド自在に配設するガイド部３２が形成してある。
【００１４】
ユニットバスの側壁２の補強板３が取付けられる部分には、補強板３のねじ孔３１に連通するように貫通孔２４を形成するもので、この貫通孔２４に取付ねじ５が挿通されるとともにその周囲に取付ねじ５の頭部５２が締結される。取付ねじ５は、ユニットバス内から軸部５１を上記側壁２の貫通孔２４に挿通するとともに、側壁２の裏面に配置した補強板３のねじ孔３１に螺合して側壁２の裏面側に突出させるもので、本実施形態ではボルトで形成される。ユニットバスの側壁２の裏面側には上述したように建物躯体の壁面１との間に隙間Ｓ（通常はおおよそ３０〜１５０ｍｍ程の隙間）があり、取付ねじ５の軸部５１は前記隙間Ｓのおおよそ１／３〜２／３程裏面側に突出するようにその長さを設定、選択し、この突出した軸部５１の先端で押圧部材４を押圧してスライドさせるものである。また、本実施形態では、図５に示すように、取付ねじ５の頭部５２に機器が取付けられる取付部５３として略鉤状の引掛け部を一体に形成してある。
【００１５】
押圧部材４は、図４に示すように、上記補強板３のガイド部３２にガイドされる被ガイド部４１と、取付ねじ５に押圧される被押圧部４２と、建物躯体の壁面１を押圧する押圧部４３とからなる。本実施形態では、金属製の板からなるもので、補強板３から裏面側に向けて略垂直に突出するように配置される被ガイド部４１と、被ガイド部４１の突出側端部から略垂直に連設されて取付ねじ５の軸部５１の先端に押圧される被押圧部４２と、被押圧部４２の端部から建物躯体の壁面１に向けて連設される押圧部４３とからなる。
【００１６】
被ガイド部４１は、補強板３のガイド部３２にスライド自在に挿入されるもので、ガイド部３２は、補強板３の裏面側から建物躯体の壁面１に向けて突出する角筒状をしたものである。被ガイド部４１からは被押圧部４２が連設される。
【００１７】
被押圧部４２は、補強板３およびユニットバスの側壁２と略平行となる板状のもので、この被押圧部４２には取付ねじ５の軸部５１の先端に押圧されるとともに該軸部５１が螺合するねじ孔４４が形成してある。本実施形態では被押圧部４２に貫通孔４４ａを形成するとともにこの貫通孔４４ａとナット４４ｂの内部の孔とが連通するようにナット４４ｂを建物躯体の壁面１側の面に溶接等にて固定することでねじ孔４４が形成してある。そして更に、ねじ孔４４のナット４４ｂを設けた側と反対側の端部（すなわち被押圧部４２に形成した貫通孔４４ａの補強板３側の端部）には、取付ねじ５の軸部５１の先端に押圧されるとともに該先端がねじ孔４４に螺合するように導くためのすり鉢状のガイドテーパ部４５を形成してある。
【００１８】
次に、上述した取付具のユニットバスの側壁２への取付方法について説明する。
【００１９】
まず、補強板３のガイド部３２に押圧部材４の被ガイド部４１を嵌入させた状態でユニットバスの側壁２の室内面２１側から（即ちユニットバス内から）取付具挿通口２３を介して側壁２の裏面２２側に出して取付具挿通口２３の上下にそれぞれ配置し、補強板３をその両端部のねじ孔３１がそれぞれ側壁２の貫通孔２４に連通するように側壁２の裏面２２に配置した状態で、側壁２の室内面２１側から貫通孔２４に取付ねじ５の軸部５１を挿入するとともに、補強板３のねじ孔３１に螺入していく。そして、取付ねじ５を螺進していくことで取付ねじ５の軸部５１が補強板３のねじ孔３１から外方（裏面側）に突出し、軸部５１の先端が押圧部材４の被押圧部４２のねじ孔４４の端部または該端部に設けたガイドテーパ部４５を押圧していき、押圧部材４を建物躯体の壁面１に向けてスライドさせる。なお本実施形態では、押圧部材４の被ガイド部４１の室内面にストッパー４６を突出するとともに、補強板３のガイド部３２にストッパー４６が挿入される一定長さの溝部３３を設けてあり、このストッパー４６と溝部３３とによって被ガイド部４１がガイド部３２に対して一定の範囲でのみスライド自在となってそれ以上スライドして押圧部材４が補強板３から脱落するのを防止するものである。またなおストッパー４６は、押圧部材４の被ガイド部４１の室内面から無負荷状態で突出するとともに、被ガイド部４１の室内面に沿うように弾性的に曲げることができるため、図６に示すように補強板３のガイド部３２に被ガイド部４１を挿入する際にはストッパー４６を室内面に沿うように曲げて挿入し、ストッパー４６が溝部３３に達すると被ガイド部４１の室内面から突出することとなって、容易にストッパー４６を溝部３３内に位置させることができる。
【００２０】
押圧部材４は、取付ねじ５の軸部５１の先端に押圧されてスライドしていき、その押圧部４３が建物躯体の壁面１に当接して押圧した状態でスライドが停止する。そして更に取付ねじ５を螺進させると、その軸部５１の先端はガイドテーパ部４５にガイドされてねじ孔４４に螺合し、軸部５１の先端はねじ孔４４から建物躯体の壁面１に向けて突出していき、取付ねじ５の頭部５２が側壁２の室内面２１に締め付けられるまで螺進される。そして、取付ねじ５の頭部５２に形成した取付部５３に機器を取付ける。
【００２１】
なお、本実施形態では上述したように取付ねじ５の頭部５２に引掛け部を一体に形成してあるが、この場合、取付ねじ５の頭部５２をパッキン等の変形性を有する部材を介して側壁２の室内面２１に締め付けることで、引掛け部の鉤が上を向いた状態で締め付けることができる。また、ガイドテーパ部４５を設けたことで、押圧部材４の押圧部４３が建物躯体の壁面１に当接して更に取付ねじ５を螺進させた際、取付ねじ５の軸部５１がガイドされてねじ孔４４にスムーズに螺合される。
【００２２】
上述した取付構造にあっては、ユニットバスの側壁２に建物躯体の壁面１から取付具すなわち補強板３、押圧部材４、取付ねじ５によって押圧力を負荷させて側壁２を予め撓んだ（変形した）状態として、前記撓み（変形）を元に戻す方向に負荷がかかっても取付具によって元に戻る方向には殆ど撓まない（変形しない）ようにすることができるため、側壁２の剛性が向上することとなる。
【００２３】
また、押圧部材４をスライド自在に設けた補強板３を側壁２の裏側に回して取付ねじ５をユニットバス内側から補強板３のねじ孔３１に螺合しさえすれば、あとはユニットバス内側から取付ねじ５を螺進させるだけでよく、従来のように側壁２の裏面側に手を入れてナットを回転しないように支持したりする必要がなくて施工が容易となる。
【図面の簡単な説明】
【００２４】
【図１】本発明の一実施形態の要部断面図である。
【図２】同上において、ユニットバスの側壁への補強板の取付けを説明する室内面側からみた正面図である。
【図３】同上の補強板の斜視図である。
【図４】同上の押圧部材の側面図である。
【図５】同上の取付ねじの斜視図である。
【図６】同上の補強板への押圧部材の取付けを説明する斜視図である。
【符号の説明】
【００２５】
１    建物躯体の壁面
２    ユニットバスの側壁
２１  室内面
２２  裏面
２３  取付具挿通口
２４  貫通孔
３    補強板
３１  ねじ孔
３２  ガイド部
４    押圧部材
４１  被ガイド部
４３  押圧部
４４  ねじ孔
５    取付ねじ
５１  軸部
５２  頭部
５３  取付部
Ｓ    隙間
【図１】
2005307660.tif 000003
【図２】
2005307660.tif 000004
【図３】
2005307660.tif 000005
【図４】
2005307660.tif 000006
【図５】
2005307660.tif 000007
【図６】
2005307660.tif 000008